(57)【要約】【課題】秘密情報を隠蔽したプリンター装置及びプリント方法が発明され、隠蔽性インキを用いての複合顔料、インキ組成物による秘密情報を隠蔽した印刷物及び印刷方法が発明されていた。【解決手段】コンピュータプリンターの印字ユニットに発色剤又は防止剤を用いて文字、数字、記号、絵柄を隠蔽表記させる隠蔽印刷システムを提供する。【選択図】      図１
2006202245.tif 000002
【特許請求の範囲】
【請求項１】
入力装置と制御装置と少なくとも発色剤や防止剤等の隠蔽印刷用インクユニットを有するインクプリンタとより構成される印刷システムであり、印刷時非可視で押圧により発色する隠蔽印刷により文字、数字、記号、絵柄等の隠蔽情報を印刷する印刷制御手段を具備したことを特徴とする隠蔽印刷システム。
【請求項２】
表示印刷情報と隠蔽情報を指定する情報指定手段を具備し、印刷制御手段は表示印刷情報には任意の可視表示印刷を施し、隠蔽情報には隠蔽印刷を施すものであることを特徴とする請求項１記載の隠蔽印刷システム。
【発明の詳細な説明】
【発明の属する技術の分野】
【０００１】本発明は、コンピュータプリンターの印字ユニットに発色剤又は防止剤を用いて文字、数字、記号、絵柄を隠蔽表記させる隠蔽印刷システムに関するものである。
【背景技術】
【０００２】従来、秘密情報を隠蔽したプリンター装置及びプリント方法（特許公開番号２００４−３０６４０６）が発明されていた。
また、隠蔽性インキを用いての複合顔料、インキ組成物による秘密情報を隠蔽した印刷物及び印刷方法（特開２００３−１７６１３１）が発明されていた。
【特許文献１】特許公開番号  特開２００４−３０６４０６
【特許文献２】特許公開番号  特開２００３−１７６１３１
【発明の開示】
【発明が解決しようとする課題】
【０００３】  これには次のような欠点があった。
従来、秘密情報を隠蔽したプリンター装置及びプリント方法が発明されていた。
また、隠蔽性インキを用いての複合顔料、インキ組成物による秘密情報を隠蔽した印刷物及び印刷方法が発明されていた。【０００４】（イ）秘密情報を隠蔽した印刷物における隠蔽部の印刷は版胴による印刷面付けでの範囲に限定されることで、ナンバーリング等の送り印刷が不可能とされる欠点があった。
（ロ）コンピューターにて任意の秘密情報を隠蔽部のデータの作成後に発色剤及び発色防止剤を利用して秘密情報の隠蔽における文字、数字、絵柄等がプリントアウトできるシステムは既存しなかった。
（ハ）発色防止剤や発色剤を活用して秘密情報の隠蔽部を表記させる印刷物においては、小ロットの対応に生産コストが高くサンプルやテスト印刷等において対応が困難であった。
本発明は、これらの問題点を解決するためになされたものである。
【課題を解決するための手段】
【０００５】入力装置と制御装置と少なくとも発色剤や防止剤等の隠蔽印刷用インクユニットを有するインクプリンタとより構成される印刷システムであり、印刷時非可視で押圧により発色する隠蔽印刷により文字、数字、記号、絵柄等の隠蔽情報を印刷する印刷制御手段を具備したことを特徴とする図１又は図２記載の隠蔽印刷システムを提供する。【０００６】表示印刷情報と隠蔽情報を指定する情報指定手段を具備し、印刷制御手段は表示印刷情報には任意の可視表示印刷を施し、隠蔽情報には隠蔽印刷を施すものであることを特徴とする図１又は図２記載の隠蔽印刷システムを提供する。
【発明の効果】
【０００７】本発明は、図１又は図２記載の隠蔽印刷システムであり。
コンピューターにて隠蔽印刷システムの入力と制御し、発色剤や防止剤等の隠蔽印刷用インクユニットを有するインクプリンタとより構成される印刷システムであり、印刷時非可視で押圧により発色する隠蔽印刷により文字、数字、記号、絵柄等の隠蔽情報を印刷する印刷制御手段を具備したことを特徴とする図１又は図２記載の隠蔽印刷システムを提供する効果は従来のスクラッチくじは開示部の隠蔽工程等の生産技術や生産コストが高いという問題があったが本発明の防止剤等の隠蔽印刷用インクユニットを有するインクプリンタにてくじ引きとして実施したなら、容易な生産技術と低コストで小ロットからの作成の提供が実現するもので、コンピューターにおける隠蔽印刷システムの入力と制御の情報の入力変更に応じての内容の変更が容易である。【０００８】コンピューターにて表示印刷情報と隠蔽情報を指定する情報指定手段を具備し、印刷制御手段は表示印刷情報には任意の可視表示印刷を施し、隠蔽情報には隠蔽印刷を施すものであることを特徴とする効果により、従来、個人情報や特別情報を通達する手段として圧着郵便ハガキが利用されていたが、本発明の発色防止剤を活用しての表示シートの実施において容易な生産技術と低コストでの提供が実現するものである。【０００９】印刷物に設けた隠蔽部はコインや爪などの押圧で発色防止剤層以外の発色インキ層が発色することで任意の文字や図等が現れるものであることを特徴とする、隠蔽印刷システムは、インクプリンタによる出力可能の範囲の隠蔽ハガキや隠蔽を設けた印刷物及び封書に直接印刷プリントアウトすることで、その実用範囲が広がることを実現し、隠蔽部をもうけた印刷物の作成が容易で、小ロット対応及び生産コストの削減が実現され、その効果が得られるものである。
本発明は、以上の効果を実現するものである。
【発明を実施するための最良の形態】
【００１０】  以下、本発明の実施の形態について図１乃至図２をもちいて説明する。
図１に記載されているのは、本発明隠蔽印刷システムの実施構成を示したチャート図で、隠蔽印刷システム（１０）の全体構成で、表示シートの企画（１０１）にて表示シートの実施の構成企画をおこない、表示シート企画編集隠蔽部のレナウト（１０２）は表示シートのデザインの編集をおこなう。
隠蔽部のレナウト部編集データの作成（１０３）をコンピューターにて作業をおこない隠蔽部のレナウト部編集データのコンピューター入力（１０４）より表示シートのデザインの編集及び表示シートデータの保存管理と隠蔽部のレナウト部編集データのコンピューター入力校正（１０５）後、コンピューターデータの出力プリントアウト（１０５）にて表示シートが作成される。【００１１】図２に記載されているのは、前記図１に記載した本発明隠蔽印刷システムの実施構成を示したチャート図の全体構成の更なるチャート図で隠蔽印刷システム（１０）の全体構成で、コンピューター（１０７）にて作業をおこない隠蔽部のレナウト部編集データのコンピューター入力（１０４）より表示シートのデザインの編集及び表示シートデータの保存管理と隠蔽部のレナウト部編集データのコンピューター入力校正後、コンピューターデータの出力をプリンター（１０８）にてプリントアウトし表示シート（１０９）が作成される。
以上、本発明の構成で、実施において下記に示す。【００１２】本発明の実施
従来、秘密情報を隠蔽したプリンター装置及びプリント方法が発明され、隠蔽性インキを用いての複合顔料、インキ組成物による秘密情報を隠蔽した印刷物及び印刷方法が実施されていた。【００１３】秘密情報を隠蔽した印刷物における隠蔽部の印刷は版胴による印刷面付けでの範囲に限定されることで、ナンバーリング等の送り印刷が不可能とされ、発色防止剤や発色剤を活用して秘密情報の隠蔽部を表記させる印刷物においては、小ロットの対応に生産コストが高くサンプルやテスト印刷等において対応が困難であった。【００１４】本発明は、前記の課題を解決するためにコンピュータプリンターの印字ユニットに発色剤又は防止剤を用いて文字、数字、記号、絵柄を隠蔽表記させる隠蔽印刷システムを実施されるものである。
本発明隠蔽印刷システムはくじ引きや販売促進に抽選など、また任意の文字や図等を表記する印字方法として、コンピューターを利用しプリンターから通常のインクの代用に発色剤及び発色防止剤にて、文字、数字、記号、絵柄を隠蔽表記させる表示シートの作成を実施するものである。
すなわち、コンピューターを利用しプリンターから通常のインクの代用に発色剤及び発色防止剤にて隠蔽表記を用いた表示シートの作成を実施するものでありコンピューターとプリンターで表示シートを作成することにおいては、従来の印刷にて作成される表示シートに比較し、コストの削減と表示シートのデザインが容易におこなわれ、一般家庭においても隠蔽表記させる表示シートの作成の実現と実施が望めるものである。【００１５】以上のことから、本発明隠蔽印刷システムは、くじ引きや販売促進に抽選など活用に実施され、コンピューターを利用しプリンターから通常のインクの代用に発色剤及び発色防止剤にて隠蔽表記を用いた表示シートの作成は、従来の印刷にて作成される表示シートに比較し、コストの削減と表示シートのデザインが容におこなわれ、幅広い活用を可能とした表示シートの作成の実現と実施が望めるものである。
また、本発明隠蔽印刷システムを利用しての隠蔽表記させる表示シートの活用と利用は本明細に記載されていない事項においても実施されるものである。
以上、本発明は実施される。
【産業上の利用可能性】
【００１６】本発明隠蔽印刷システムはくじ引きや販売促進に抽選など、また任意の文字や図等を表記する印字方法として、コンピューターを利用しプリンターから通常のインクの代用に発色剤及び発色防止剤にて、文字、数字、記号、絵柄を隠蔽表記させる表示シートによる企画販売が産業上利用される。【００１７】コンピューターとプリンターで表示シートを作成することにおいては、従来の印刷にて作成される表示シートに比較し、コストの削減と表示シートのデザインが容易におこなわれ、一般家庭においても隠蔽表記させる表示シートの作成の実施が望めるものであることから、発色剤及び発色防止剤の販売など流通において産業上利用されるものである。【００１８】本発明隠蔽印刷システムは、隠蔽表記させる表示シートの作成が容易にできることから機密情報の漏洩を防止する表示物として産業上利用されるものである。本発明は、以上の構成より産業上利用されるものである。
【図面の簡単な説明】
【００１９】
【図１】  本発明隠蔽印刷システム実施におけるチャートの図である。
【図２】  本発明隠蔽印刷システム実施における構成全体のチャート図である。
【符号の説明】
【００２０】１０．  隠蔽印刷システム
１０１．表示シート企画
１０２．表示シート編集企画隠蔽部のレナウト
１０３．表示シート部編集データの作成
１０４．表示シート部編集データのコンピューター入力
１０５．表示シート部編集データのコンピューター入力校正
１０６．データの出力プリントアウト
１０７．コンピューター
１０８．プリンター
１０９．表示シート
【図１】
2006202245.tif 000003
【図２】
2006202245.tif 000004